(57)【要約】【課題】キャンプやピクニックなどの野外活動において、これまで冷蔵庫などの電化製品を使用するには自動車からの電源や、移動や設置が容易でない発電装置などを使用しなくてはならず、人力で携帯及び可搬型でき、実用性のある小型のソーラー発電による独立型電源装置がなかった。【解決手段】本発明スーツケース型ソーラー発電・電源装置は旅行用のストッパ付きキャスタと長さ調整可能な取手が備えてある旅行用のスーツケースに独立ソーラー発電及び電源装置を内設した。【選択図】図１
2011054943.tif 000002
【特許請求の範囲】
【請求項１】
ストッパ付きキャスタと長さ調整可能な取手が備えてある旅行用のスーツケースに独立ソーラー発電及び電源を内設したスーツケース型ソーラー発電・電源装置。
【請求項２】
少なくとも二つ以上に折り畳みが可能な太陽電池パネル部を有し、使用時には太陽電池パネル部を開き、太陽の方向へ角度を合わせるために、本体に取り付けてあるレールの上を、太陽電池パネル部に取り付けられたスライドを調整する事により、地面に対して鉛直方向から垂直方向へ太陽電池パネル部の受光面と地面との角度を無段階調整し、且つストッパで同角度を固定維持する事を特徴とする請求項１に記載のスーツケース型ソーラー発電・電源装置。
【請求項３】
着脱式外部用ＡＣプラグコードを取り付ける事により、ＡＣ／ＤＣコンバータ介して外部交流電源を入力する事を特徴とする請求項１に記載のスーツケース型ソーラー発電・電源装置。
【請求項４】
着脱式外部用ＤＣプラグコードを取り付ける事により、外部直流電源を入力する事を特徴とする請求項１に記載のスーツケース型ソーラー発電・電源装置。
【請求項５】
複数台を連結し、太陽電池部の生成電力と蓄電部の電力を加算して出力する事を特徴とする請求項１に記載のスーツケース型ソーラー発電・電源装置。
【発明の詳細な説明】
【技術分野】
【０００１】
本発明は、携帯及び可搬型のソーラー発電及び電源に関するものである
【背景技術】
【０００２】
従来の携帯及び可搬型のソーラー発電による独立型電源装置は、一体型になっているものでは出力電力が小さく、出力電力が十分なものでは、バッテリなどの部品を本体から取り外して分解し、別々に持ち運んだりするものがある。
【０００３】
【特許文献１】特許３４６６６０４
【発明の概要】
【発明が解決しようとする課題】
【０００４】
従来の携帯及び可搬型のソーラー発電による独立型電源装置は使用可能電力を増やすと重量が増し、装置が大型化する為、人力による携帯性及び可搬性が低下するという問題があった。加えて太陽電池パネルの受光面を太陽光の入射方向に対して垂直に自在に調整する事が困難であった。
【課題を解決するための手段】
【０００５】
ストッパ付きキャスタと長さ調整可能な取手が備えてある旅行用のスーツケースに独立ソーラー発電及び電源を内設する。
【０００６】
少なくとも二つ以上に折り畳みが可能な太陽電池パネル部を有し、使用時には太陽電池パネル部を開き、太陽の方向へ角度を合わせるために、本体に取り付けたレールの上を、太陽電池パネル部に取り付けたスライドを調整する事で、地面に対して鉛直方向から垂直方向へ太陽電池パネル部の受光面と地面との角度を無段階調整し、且つストッパで同角度を固定維持する。
【０００７】
着脱式外部用ＡＣプラグコードを取り付ける事で、ＡＣ／ＤＣコンバータを介して外部交流電源を入力する。
【０００８】
着脱式外部用ＤＣプラグコードを取り付ける事で、外部直流電源を入力する。
【０００９】
複数台を連結し、太陽電池部の生成電力と蓄電部の電力を加算して出力する。
【００１０】
独立ソーラー発電及び電源装置は太陽電池部と本体とから成り、太陽電池部は少なくとも２枚以上の折り畳み式のパネルに、少なくとも１つ以上のスライダを有し、本体に少なくとも１つ以上形成したレールに同スライダを取り付け、太陽電池部はスライダを介して本体に取り付け、且つ同レールを同スライダが動く事で、本体に対して太陽電池部の隣接角度を調整し、スライダに形成したストッパで、隣接角度を固定する。
【００１１】
太陽電池部は折り畳み式の少なくとも１つ以上の太陽電池パネルと、少なくとも１つ以上
のスライダと、少なくとも１つ以上の留め金具受けとで形成する。
【００１２】
太陽電池部のスライダはスライド部、ストッパとスライダーアームで形成し、ストッパに雌ねじを切り、同ストッパに雄ねじが切ったストッパツマミを取り付け、締め付ける事でスライダと本体とを固定する。
【００１３】
本体は制御部、入力部、出力部、蓄電部、ストッパ付きキャスタ、レール、取手、着脱式外部用ＡＣプラグコード、着脱式外部用ＤＣコード、留め金具で形成する。
【００１４】
制御部はコントローラ、表示・操作パネル、ＤＣ入出力端子で形成し、必要に応じて着脱式外部用ＤＣコードをＤＣ入出力端子へ接続する事で、外部ＤＣ電源から入力し、またはコントローラを介して蓄電部、或いは太陽電池からの電力を出力する。
【００１５】
入力部は着脱式外部用ＡＣプラグコードをＡＣ入力端子へ接続する事で、ＡＣ入力端子からの交流をＡＣ／ＤＣコンバータで直流に変換し、コントローラへ出力する。
【００１６】
出力部はコントローラからの直流をインバータで交流に変換し、ＡＣ用コンセントへ配給する。
【００１７】
蓄電部は少なくとも１つ以上のバッテリで形成し、コントローラとの間で入出力をする。
【発明の効果】
【００１８】
本発明スーツケース型ソーラー発電・電源装置は、ストッパ付きキャスタと長さ調整可能な取手が備えてある旅行用のスーツケースに、独立ソーラー発電及び電源を内設した事により容易に人力で移動及び携帯が可能となり、野外活動での電力の使用を始め、災害時などの緊急の電力需要にも対応でき、且つ自然環境にも配慮し、また不使用時にはスーツケースとして収納及び運搬が可能となった。
【００１９】
少なくとも二つ以上に折り畳みが可能な太陽電池パネル部を有し、使用時には太陽電池パネル部を開き、太陽の方向へ角度を合わせるために、本体に取り付けてあるレールの上を、太陽電池パネル部に取り付けられたスライドを調整する事により、地面に対して鉛直方向から垂直方向へ太陽電池パネル部の受光面と地面との角度を無段階調整し、且つストッパで同角度を固定維持する事で、屋外での電力の使用を始め、災害時などの緊急の電力需要にも対応できるようになった。
【００２０】
着脱式外部用ＡＣプラグコードを取り付ける事により、ＡＣ／ＤＣコンバータを介して外部交流電源を入力する事が可能となった。
【００２１】
着脱式外部用ＤＣプラグコードを取り付ける事により、外部直流電源を入力する事が可能となった。
【図面の簡単な説明】
【００２２】
【図１】スーツケース型ソーラー発電・電源装置の外観図。
【図２】使用状態１，２の正面図と本体レール部側面構造強調図。
【図３】上面表示・操作パネル、パネルカバ取り付け変遷図。
【図４】太陽電池部開閉状態上面図。
【図５】本体内部図。
【発明を実施するための最良の形態】
【００２３】
太陽電池パネル部の受光面の総面積をできるだけ大きくするために、太陽電池パネルは多重に折りたためる複数の太陽光発電パネルを配置し、太陽光を効率よく受ける為に、太陽光発電パネル部は本体に対してスライド、若しくは着脱可能にし、本体に設置してある蓄電部はできるだけ小さく軽い蓄電容量の多いバッテリを使用し、日照条件によって変化する太陽電池の生成電力と、用途により増大する消費電力に合わせ、蓄電池の入出力を制御部で制御する事により、一定で且つ効率的な出電力を供給し、人力による携帯性、可搬性を向上する、ストッパ付きキャスタと長さ調整可能な取手が備えてあるスーツケース型ソーラー発電・電源装置。
【実施例１】
【００２４】
太陽電池部１ａは７２Ｗで１２Ｖの２枚の太陽電池パネル１ａ１の間にヒンジ１ｄを取り付け、互いの受光面が対置するように形成し、別の一組の太陽電池パネル１ａ１との間に別のヒンジ１ｄを取り付け、４枚折り式の太陽電池部１ａを形成する。
【００２５】
１枚の太陽電池パネル１ａ１の上端２隅に、スライダ１ｂをそれぞれ取り付け、下端に１つの金具留め受けを形成する。
【００２６】
本体の前面にフロントカバ２ａ１を取り付け、両側面の外側にそれぞれレール８を組み込み、背面下端に左右のストッパ付きキャスタ１３と背面上端に長さ調整可能な取手９と下面に留め金具１２を備え旅行用のスーツケースの形状とする。
【００２７】
本体にはコントローラ３ａと表示・操作パネル３ｂ、１２Ｖ用ＤＣ入出力端子３ｃ、１００Ｖ用ＡＣ入力端子４ａ、交流１００Ｖから直流１２Ｖへ変換するＡＣ／ＤＣコンバータ４Ｂ、１２Ｖ／５Ａｈのリチウムイオンのバッテリーパック６ａを２０個、直流１２Ｖから交流１００Ｖへ変換するインバータ５ａ、ＡＣ用コンセント５ｂを設置している。
【００２８】
本体内部のコントローラ３ａは太陽電池部１ａからの入力を、直流１２Ｖから交流１００Ｖへ変換するインバータ５ａへ出力する。また交流へ変換された出力はＡＣ用コンセント５ｂへ配給する。
【００２９】
太陽電池部１ａから直流１２Ｖの直流が本体内部のコントローラ３ａに入力し、直流１２Ｖから交流１００Ｖへ変換するインバータ５ａへの出力が停止すると、コントローラ３ａの制御により蓄電部６へ直流１２Ｖを出力する。
【００３０】
本体内部のコントローラ３ａは太陽電池部１ａからの入力があり、直流１２Ｖから交流１００Ｖへ変換するインバータ５ａを経由してＡＣ用コンセント５ｂへ配給する。
【００３１】
太陽電池部１ａからコントローラ３ａへの入力よりインバータ５ａへの出力が大きくなると、コントローラ３ａの制御により蓄電部６からコントローラ３ａへ入力し、制御により太陽電池部１ａと蓄電部６の電力を加算して出力する。
【００３２】
天候不良時や蓄電部６の残量不足の状況に応じて、着脱式外部用ＤＣコード１１を１２Ｖ用ＤＣ入出力端子３ｃへ挿入する事により、外部ＤＣ電源から入力する。
【００３３】
入力部は着脱式外部用ＡＣプラグコード１０を１００Ｖ用ＡＣ入力端子４ａへ挿入する事により、外部ＡＣ電源へ同プラグ部を接続し、同ＡＣ入力端子４ａからの交流をＡＣ／ＤＣコンバータ４ｂで直流１２Ｖに変換し、コントローラ３ａへ入力する。
【００３４】
本発明を複数台同時に使用する方法は１代目のＡＣ用コンセント５ｂへ２代目の着脱式外部用ＡＣプラグコード１０を接続する事により、２代目のＡＣ用コンセント５ｂへ、１代目、２代目の太陽電池部１ａと蓄電部６の和の電力が得られる。
【００３５】
蓄電部６は少なくとも１つ以上のバッテリで形成され、コントローラ３ａとの間で入出力を行う。
【００３６】
キャンプやピクニックなどの野外娯楽活動だけでなく、災害時の緊急発電装置や利用者の状況によって電力消費量の変動が激しい施設などで、臨時用の電力として使用が可能である。
【符号の説明】
【００３７】
１  スーツケース型ソーラー発電・電源装置
１ａ  太陽電池部
１ａ１  太陽電池パネル
１ｂ  スライダ
１ｂ１  スライド部
１ｂ２  ストッパ
１ｂ３  スライドアーム
１ｃ  金具留め受け
１ｄ  ヒンジ
２  本体組
２ａ  本体
２ａ１  フロントカバ
３  制御部
３ａ  コントローラ
３ｂ  表示・操作パネル
３ｃ  ＤＣ入出力端子
４ 入力部
４ａ  ＡＣ入力端子
４ｂ  ＡＣ／ＤＣコンバータ
５  出力部
５ａ  インバータ
５ｂ  ＡＣ用コンセント
６  蓄電部
６ａ  バッテリーパック
７  ストッパ付きキャスタ
８  レール
９  取手
１０  着脱式外部用ＡＣプラグコード
１１  着脱式外部用ＤＣプラグコード
１２  留め金具
１３  キャスタ
【図１】
2011054943.tif 000003
【図２】
2011054943.tif 000004
【図３】
2011054943.tif 000005
【図４】
2011054943.tif 000006
【図５】
2011054943.tif 000007